(57)【特許請求の範囲】
【請求項１】
所定厚さの矩形板状に形成され、端部にメモリーカード側端子を有するメモリーカードと、
前記所定厚さより薄い厚さの板状に形成され、端部にプリント板側端子を有すフレキシブルプリント板と、
一方側開口から前記メモリーカードの端部を挿抜自在に保持可能で、他方側開口から前記フレキシブルプリント板の端部を挿抜自在に保持可能な貫通孔を有した保持本体部材とを有し、
前記メモリーカードの端部を前記一方側開口から前記貫通孔内に挿着保持させ、且つ前記フレキシブルプリント板の端部を前記他方側開口から前記貫通孔内に装着保持させた状態で、一端側において前記メモリーカード側端子と電気的に接続するとともに他端側において前記プリント板側端子と電気的に接続する接続端子が、前記貫通孔内に挿入されて前記保持本体部材内に取り付けられており、
前記接続端子が、前記貫通孔内に挿入されて取り付けられる保持板部と、前記保持板部から前記一方側開口に向かって延びた弾性変形可能なメモリーカード側アーム部と、前記保持板部から前記他方側開口に向かって延びた弾性変形可能なプリント板側アーム部とから構成され、前記メモリーカードおよび前記フレキシブルプリント板の板面に直角で且つ装着方向に延びる面における前記接続端子の断面形状が、前記保持板部を挟んで前記メモリーカード側アーム部および前記プリント板側アーム部が回転対称となる形状であり、
前記一方側開口および前記他方側開口の厚さ方向寸法が、前記メモリーカードの厚さおよび前記フレキシブルプリント板の厚さの相違に対応して設定されており、
前記接続端子の配設方向に拘わらず、前記一方側開口を通って前記メモリーカードが前記貫通孔内に挿入された状態で前記メモリーカード側アーム部が弾性変形して前記メモリーカードの挿入側端部を前記貫通孔内面に押圧挟持して前記メモリーカード側端子と当接し、前記他方側開口を通って前記フレキシブルプリント板の前記端部が前記貫通孔内に挿入された状態で前記プリント板側アーム部が弾性変形して前記フレキシブルプリント板の前記端部を前記貫通孔内面に押圧挟持して前記プリント板側端子と当接するように構成されていることを特徴とする接続保持手段。
【請求項２】
端部にメモリーカード側端子を有するメモリーカードと端部にプリント板側端子を有するフレキシブルプリント板とを接続保持するための接続保持手段であって、前記メモリーカードは所定厚さの矩形板状に形成され、前記フレキシブルプリント板は前記所定厚さより薄い厚さの板状に形成され、
一方側開口から前記メモリーカードの端部を挿抜自在に保持可能で、他方側開口から前記フレキシブルプリント板の端部を挿抜自在に保持可能な貫通孔を有した保持本体部材と、
前記貫通孔内に挿入されて前記保持本体部材内に取り付けられた接続端子とを有して構成され、
前記接続端子が、前記貫通孔内に挿入されて取り付けられる保持板部と、前記保持板部から前記一方側開口に向かって延びた弾性変形可能なメモリーカード側アーム部と、前記保持板部から前記他方側開口に向かって延びた弾性変形可能なプリント板側アーム部とから構成され、前記メモリーカードおよび前記フレキシブルプリント板の板面に直角で且つ装着方向に延びる面における前記接続端子の断面形状が、前記保持板部を挟んで前記メモリーカード側アーム部および前記プリント板側アーム部が回転対称となる形状であり、
前記一方側開口および前記他方側開口の厚さ方向寸法が、前記メモリーカードの厚さおよび前記フレキシブルプリント板の厚さの相違に対応して設定されており、
前記接続端子の配設方向に拘わらず、前記一方側開口を通って前記メモリーカードが前記貫通孔内に挿入された状態で前記メモリーカード側アーム部が弾性変形して前記メモリーカードの挿入側端部を前記貫通孔内面に押圧挟持して前記メモリーカード側端子と当接し、前記他方側開口を通って前記フレキシブルプリント板の前記端部が前記貫通孔内に挿入された状態で前記プリント板側アーム部が弾性変形して前記フレキシブルプリント板の前記端部を前記貫通孔内面に押圧挟持して前記プリント板側端子と当接するように構成されていることを特徴とする接続保持手段。
【発明の詳細な説明】
【０００１】
【産業上の利用分野】
本発明は、接続保持手段に関し、さらに詳細には、端部にメモリ側端子を有したメモリカードと、端部にプリント板側端子を有したフレキシブルプリント板と、メモリカードを挿着させるとともにプリント板側端子を装着させてメモリ側端子とプリント板側端子を電気的に接続させる接続部材と、を備えた接続保持手段に関する。
【０００２】
【従来の技術】
最近の電子機器は、小型軽量化が進み、また、他社製品との差別化を図るため機器本来の機能そのものの付加機能を有したものが提案されている。例えば、ビデオレコーダにおいて、テープに情報を記録する方法の他に、付加機能として機器本体に小型のメモリカードを搭載してこのメモリカードに情報を記録する方法がある。このメモリカードによる情報記録方法によれば、メモリカードに記録された情報をパソコン等により処理することで、記録情報の利用をより拡大させることができる。
【０００３】
【発明が解決しようとする課題】
しかしながら、小型軽量化された機器ではその体積が小さいので、機器本体内におけるメモリカードの占める設置面積が小さくなり、機器の組み立て作業においてメモリカードの取り扱いがより困難となる。
【０００４】
また、電子機器は、図６に示すように、先端にメモリ側端子１９を有したメモリカード７を挿抜自在に保持可能な保持部材５を有し、保持部材５はメモリカード７を保持部材５に挿着した状態で、メモリ側端子１９と電気的に接続する接続端子４０を有している。接続端子４０の他端側はハード基板５３に形成された回路に半田づけを介して電気的に接続されている。しかしながら、電子機器は小型化されているので、不良な半田づけが発生して電気的接続状態が不完全となる虞がある。更に、接続端子４０に半田づけされる基板５３はハード基板であるので、折り曲げができず機器内の配線の自由度が小さく、機器の軽薄化が困難である、という問題が発生する。
【０００５】
本発明はこのような問題に鑑みてなされたものであり、小型化された電子機器において、機器の配線作業が容易であり機器の軽薄化を可能とする接続保持手段を提供することを目的とする。
【０００６】
【課題を解決するための手段】
前記課題を解決するために、本発明の接続保持手段（例えば、実施形態における接続保持手段１）は、所定厚さの矩形板状に形成され、端部にメモリーカード側端子（例えば、実施形態におけるメモリ側第１端子１９）を有するメモリーカード（例えば、実施形態におけるメモリカード７）と、この所定厚さより薄い厚さの板状に形成され、端部にプリント板側端子（例えば、実施形態における導体１３）を有すフレキシブルプリント板と、一方側開口からメモリーカードの端部を挿抜自在に保持可能で、他方側開口からフレキシブルプリント板の端部を挿抜自在に保持可能な貫通孔を有した保持本体部材（例えば、実施形態における接続保持本体部５）とを有して構成される。そして、メモリーカードの端部を一方側開口から貫通孔内に挿着保持させ、且つフレキシブルプリント板の端部を他方側開口から貫通孔内に装着保持させた状態で、一端側においてメモリーカード側端子と電気的に接続するとともに他端側においてプリント板側端子と電気的に接続する接続端子が、貫通孔内に挿入されて保持本体部材内に取り付けられている。この接続端子は、貫通孔内に挿入されて取り付けられる保持板部と、保持板部から一方側開口に向かって延びた弾性変形可能なメモリーカード側アーム部と、保持板部から他方側開口に向かって延びた弾性変形可能なプリント板側アーム部とから構成され、メモリーカードおよびフレキシブルプリント板の板面に直角で且つ装着方向に延びる面における接続端子の断面形状が、保持板部を挟んでメモリーカード側アーム部およびプリント板側アーム部が回転対称となる形状となるように形成されている。
【０００７】
その上で、一方側開口および前記他方側開口の厚さ方向寸法が、メモリーカードの厚さおよびフレキシブルプリント板の厚さの相違に対応して設定されており、接続端子の配設方向に拘わらず、一方側開口を通ってメモリーカードが貫通孔内に挿入された状態でメモリーカード側アーム部が弾性変形してメモリーカードの挿入側端部を貫通孔内面に押圧挟持してメモリーカード側端子と当接し、他方側開口を通ってフレキシブルプリント板の端部が貫通孔内に挿入された状態でプリント板側アーム部が弾性変形してフレキシブルプリント板の端部を貫通孔内面に押圧挟持してプリント板側端子と当接するように構成されている。
【０００８】
上記構成の接続保持手段によれば、メモリーカードを保持本体部材に挿着保持させ、且つフレキシブルプリント板を保持本体部材に装着させた状態にすると、接続端子の一端側がメモリーカード側端子と電気的に接続し、他端側がプリント板側端子と電気的に接続する。その結果、メモリーカードがフレキシブルプリント板と電気的に接続される。このようにしてフレキシブルプリント板をメモリーカードに接続することで、ハード基板に接続端子の一端を半田づけしていた従来技術と比較して、半田づけ不良による不都合を無くすことができ、フレキシブルプリント板の折り曲げにより機器内の配線の自由度を増加させて、機器の軽薄化を更に向上させることができる。さらに、本発明では、接続端子の断面形状が一端側に対して他端側が回転対称となるように形成されており、且つ一方側開口および他方側開口の厚さ方向寸法がメモリーカードの厚さとフレキシブルプリント板の厚さとの相違に対応して設定されているため、接続端子を貫通孔内に挿入して保持本体部材内に取り付けるときに、接続端子の配設方向が一端側に対して他端側が逆となるようにして挿入しても良く、接続端子の挿入取付作業が簡単である。
【０００９】
すなわち、メモリーカードの端部を一方側開口から貫通孔内に挿着保持させ、且つフレキシブルプリント板の端部を他方側開口から貫通孔内に装着保持させた状態で、上記のように回転対称断面形状に形成された接続端子が厚さの異なるメモリーカード側端子およびプリント板側端子と適切に接触するように、貫通孔におけるメモリーカードの端部が挿入される部分の厚さ方向寸法をフレキシブルプリント板が挿入される部分の厚さ方向寸法より大きく設定している。これにより、一方側開口から装着保持された所定厚さのメモリーカードのメモリーカード側端子と接続端子とを適切に接触させるとともに、他方側から装着保持された上記所定厚さより薄い厚さのフレキシブルプリント板のプリント板側端子と接続端子とについても適切に接触させることが可能である。
【００１０】
一方、もう一つの本発明に係る接続保持手段は、端部にメモリーカード側端子を有するメモリーカードと端部にプリント板側端子を有するフレキシブルプリント板とを接続保持するための接続保持手段であって、メモリーカードは所定厚さの矩形板状に形成され、フレキシブルプリント板はこの所定厚さより薄い厚さの板状に形成される。この接続保持手段は、一方側開口からメモリーカードの端部を挿抜自在に保持可能で、他方側開口からフレキシブルプリント板の端部を挿抜自在に保持可能な貫通孔を有した保持本体部材と、貫通孔内に挿入されて保持本体部材内に取り付けられた接続端子とを有して構成される。この接続端子は、貫通孔内に挿入されて取り付けられる保持板部と、保持板部から一方側開口に向かって延びた弾性変形可能なメモリーカード側アーム部と、保持板部から他方側開口に向かって延びた弾性変形可能なプリント板側アーム部とから構成され、メモリーカードおよびフレキシブルプリント板の板面に直角で且つ装着方向に延びる面における接続端子の断面形状が、保持板部を挟んでメモリーカード側アーム部およびプリント板側アーム部が回転対称となる形状となるように形成されている。
【００１１】
その上で、一方側開口および前記他方側開口の厚さ方向寸法が、メモリーカードの厚さおよびフレキシブルプリント板の厚さの相違に対応して設定されており、接続端子の配設方向に拘わらず、一方側開口を通ってメモリーカードが貫通孔内に挿入された状態でメモリーカード側アーム部が弾性変形してメモリーカードの挿入側端部を貫通孔内面に押圧挟持してメモリーカード側端子と当接し、他方側開口を通ってフレキシブルプリント板の端部が貫通孔内に挿入された状態でプリント板側アーム部が弾性変形してフレキシブルプリント板の端部を貫通孔内面に押圧挟持してプリント板側端子と当接するように構成されている。
【００１２】
このため、この接続保持手段を用いれば、一方側開口からメモリーカードを挿入してこれを挿抜自在に保持させ、他方側開口からフレキシブルプリント板の端部を挿入してこれを挿抜自在に保持させるだけで、接続端子を介してメモリーカード側端子とプリント板側端子とを簡単に電気接続させることができる。さらに、この接続保持手段においても、接続端子の断面形状が一端側に対して他端側が回転対称となるように形成されているため、接続端子を貫通孔内に挿入して保持本体部材内に取り付けるときに、接続端子の配設方向が一端側に対して他端側が逆となるようにして挿入しても良く、接続端子の挿入取付作業が簡単である。
【００１３】
【発明の実施の形態】
以下、本発明の好ましい実施の形態を図１から図５を使用して説明する。本実施の形態はメモリカードを挿抜自在に保持し、フレキシブルプリント板を接続可能な接続保持部材の態様を示す。
【００１４】
接続保持部材１は、図１に示すように、内部に断面矩形状の貫通孔３を有する接続保持本体部５と、接続保持本体部５に挿抜自在に保持される板状のメモリカード７と、接続保持本体部５に着脱自在に保持されるフレキシブルプリント板９とを有して構成されている。
【００１５】
フレキシブルプリント板９は、図２（ｂ）に示すように、可撓性材料製の基板１１に導体１３を印刷しその上に絶縁物１５を積層したものであり、フレキシブルプリント板９の先端部における基板１１の下部には変形し難い変形防止部材１７が設けられている。また、図２（ａ）に示すように、フレキシブルプリント板９の先端に印刷された導体１３の上部には絶縁物１５が積層しておらず、導体１３が上方に露出している。
【００１６】
メモリカード７は、図３（ａ）に示すように、その先端部の幅方向に所定の間隙を有して配置された複数のメモリ端子１９を有している。また、メモリカード７の側部には先端が円弧状の係合凹部２１が設けられている。
【００１７】
接続保持本体部５は、図４（ｂ）に示すように、貫通孔３の先端部に左右方向に所定の間隙を有して配設された複数の接続端子２３が取り付けられている。この接続端子２３は、図５（ａ）に示すように、弾性を有した金属材料製であり、垂直上方へ延びる中央板部２３ａと、中央板部２３ａの下部から接続保持本体部５の先端側（図５紙面の左側）へ延び上方へ屈曲して接続保持本体部５の後端側へ折り返されたプリント板側端子部２３ｂと、中央板部２３ａの上部から接続保持本体部５の後端側（図５における右側）へ延び下方へ延出した後に上方へ折り曲げられて延びたメモリ側端子部２３ｃとを有して構成されている。接続端子２３は中央板部２３ａにおいて貫通孔３内に挿入されて取り付けられており、プリント板側端子部２３ｂはプリント板側端子部２３ｂの基部（中央板部２３ａと繋がる部分）を支点として上下方向に揺動自在であり、メモリ側端子部２３ｃは中央板部２３ａの上部を支点として上下方向に揺動自在である。尚、接続端子２３は、図５（ｂ）に示すような左右対象の構造にすることができる。即ち、この接続端子２３´は、中央板部２３´の下部から接続保持本体部５の先端側（図５紙面の左側）へ延び右上側へ屈曲した後に右下側へ延びたプリント板側端子２３ｂ´と、中央板部２３ａ´の上部から接続保持本体部５の後端側へ延び左下側へ延出した後に左上側へ延びたメモリ側端子２３ｃ´とを有して構成することができる。また、図５（ｂ）に示す接続端子２３´に対して上下対象の構成の接続端子形状にしてもよい。
【００１８】
接続保持本体部５の貫通孔３内の手前側には、図３（ａ）に示すように、スライダ２５が接続保持本体部５の前後方向に摺動自在に設けられている。スライダ２５は直方体形状であり、その内部には接続保持本体部５の前後および幅方向に揺動自在な揺動部材２７が設けられている。揺動部材２７の中間部にはメモリカード７側へ突出した係合突出部２９が設けられ、揺動部材２７の先端部には接続保持本体部５の底板側へ突出するカム突出部３１が設けられ、スライダ２５の先端部には圧縮バネ３３の一端が当接している。接続保持本体部５の貫通孔３の底面にはカム溝３５が設けられている。カム溝３５は、図４に示すように、逆Ｙ字状であり、図３（ｂ）に示す係合突出部３１の先端がカム溝３５に沿って摺動すると、係合突出部２９がメモリカード７側へ接近し又は離反する方向へ移動するように構成されている。
【００１９】
次に、本発明の接続保持部材１の作用を説明する。図示しない作業者が図２（ｂ）に示すフレキシブルプリント板９の先端部に配設された導体１３を下方に向けた状態で把持し、この状態でフレキシブルプリント板９の先端部を図５（ａ）に示す接続保持本体部５の先端側に向けて貫通孔３内に挿入する。貫通孔３内にフレキシブルプリント板９の先端部が挿入されると、図２（ａ）に示す導体１３がプリント板側端子部２３ｂに当接し、プリント板側端子部２３ｂを押してこれを弾性変形させて下方へ揺動させる。このとき、フレキシブルプリント板９は、その先端部が接続保持本体部５の後端側における所定挿入位置まで挿入される。その結果、プリント板側端子部２３ｂと貫通孔３の内壁間にフレキシブルプリント板９の先端部が挟持され、フレキシブルプリント板９の先端部において露出する導体１３がそれぞれ対応するプリント板側端子部２３ｂに電気的に接続される。
【００２０】
そして、図１に示すように、接続保持本体部５に装着されたフレキシブルプリント板９を折り曲げることで、機器３７内の狭い空間内にフレキシブルプリント板９を配設して、機器３７内の他のメモリーカード（図示せず）と電気的に容易に接続させることができる。
【００２１】
一方、フレキシブルプリント板９が接続された接続保持本体部５にメモリカード７を装着するには、図３（ａ）に示すように、メモリ端子１９を接続保持本体部５の後端側に向け、貫通孔３内にメモリカード７を挿入する。メモリカード７が貫通孔３内に挿入されると、メモリカード７の側壁がスライダ２５の側壁に摺接し、メモリカード７の移動とともにスライダ２５が接続保持本体部５の先端側に移動する。このメモリカード７の移動により、メモリ端子１９がメモリ側端子部２３ｃと接触する。また、これと同時に、図３（ｂ）に示すスライダ２５のカム突出部３１がカム溝３５に沿って移動して所定位置で係止される。このため、メモリカード７はメモリ端子１９とメモリ側端子部２３ｃとが接触した状態で接続保持本体部５の所定位置で保持され、メモリカード７が接続端子２３を介してフレキシブルプリント板７に電気的に接続される。
【００２２】
尚、前述した実施の形態では、図５（ａ）に示す接続端子２３を使用した場合の例を示したがこれに限ることはなく、図５（ｂ）に示す接続端子２３´を使用することができる。この場合、この接続端子２３´は左右対象な形状であるので、接続保持本体部５に接続端子２３´を挿着する組み立て作業において、その向きを考慮することなく組み立て作業を行なうことができ、作業効率の向上を図ることができる。
【００２３】
【発明の効果】
以上説明したように、本発明に係る接続保持手段によれば、メモリーカードを一方側開口から貫通孔内に挿入して保持本体部材に挿着保持させ、且つフレキシブルプリント板を他方側開口から貫通孔内に保持本体部材に装着保持させるだけで、接続端子の一端側がメモリーカード側端子と電気的に接続し、他端側がプリント板側端子と電気的に接続し、メモリーカードをフレキシブルプリント板と簡単に電気接続させることができる。このようにしてフレキシブルプリント板をメモリーカードに接続することで、ハード基板に接続端子の一端を半田づけしていた従来技術と比較して、半田づけ不良による不都合を無くすことができ、フレキシブルプリント板の折り曲げにより機器内の配線の自由度を増加させて、機器の軽薄化を更に向上させることができる。
【００２４】
さらに、本発明では、接続端子の断面形状が一端側に対して他端側が回転対称となるように形成されているため、接続端子を貫通孔内に挿入して保持本体部材内に取り付けるときに、接続端子の挿入方向が一端側に対して他端側が逆となるようにして挿入保持しても良く、接続端子の挿入取付作業が簡単である。
【図面の簡単な説明】
【図１】  本発明の一実施の形態における接続保持部材の斜視図を示す。
【図２】  本発明の一実施の形態におけるフレキシブルプリント板を示し、同図（ａ）はフレキシブルプリント板の平面図であり、同図（ｂ）は同図（ａ）のＡ−Ａ矢示に相当する部分の断面図である。
【図３】  本発明の一実施の形態における接続保持部材を示し、同図（ａ）は接続保持部材の平面図であり、図（ｂ）はスライダの平面図である。
【図４】  本発明の一実施の形態における接続保持本体部を示し、同図（ａ）は接続保持本体部の側面図であり、図（ｂ）は接続保持本体部の平面図である。
【図５】  本発明の一実施の形態における接続端子の断面図を示す。
【図６】  従来技術における接続保持本体部に挿着された接続端子の断面図を示す。
【符号の説明】
１  接続保持部材（接続保持手段）
３  貫通孔
５  接続保持本体部（保持本体部材）
７  メモリカード（メモリーカード）
９  フレキシブルプリント板
１３  導体（プリント板側端子）
１９  メモリ側第１端子（メモリーカード側端子）
２３  接続端子
【図１】
0003845244.tif 000002
【図２】
0003845244.tif 000003
【図３】
0003845244.tif 000004
【図４】
0003845244.tif 000005
【図５】
0003845244.tif 000006
【図６】
0003845244.tif 000007